(57)【要約】【課題】被検光学系の被検面の偏心測定の測定時間を短縮する。【解決手段】測定光を発生させる光源と、測定光を被検光学系の被検面に照射し、その反射光によるスポット像を形成する複数のレンズからなる測定光学系と、測定光学系の複数のレンズの少なくとも１つを光軸方向に移動させる移動部と、スポット像を取得する光検出器と、測定光学系の駆動量及び焦点距離、並びに測定光の集光位置の少なくとも１つに対する測定基準点位置座標の関係を予め記憶した測定基準点記憶部と、（１）光検出器によって取得された、被検面からの反射光によるスポット像の位置と、（２）測定光学系の駆動量及び焦点距離、並びに測定光の集光位置の少なくとも１つから、測定基準点記憶部に記憶された関係に基づいて算出された測定基準点位置座標と、を用いて被検面の偏心量を算出する偏心量算出部と、を備える。【選択図】図１
2013036898.tif 000002
【特許請求の範囲】
【請求項１】
測定光を発生させる光源と、
前記測定光を被検光学系の被検面に照射し、その反射光によるスポット像を形成する複数のレンズからなる測定光学系と、
前記測定光学系の複数のレンズの少なくとも１つを光軸方向に移動させる移動部と、
前記スポット像を取得する光検出器と、
前記測定光学系の駆動量及び焦点距離、並びに前記測定光の集光位置の少なくとも１つに対する測定基準点位置座標の関係を予め記憶した測定基準点記憶部と、
（１）前記光検出器によって取得された、前記被検面からの反射光による前記スポット像の位置と、（２）前記測定光学系の駆動量及び焦点距離、並びに前記測定光の集光位置の少なくとも１つから、前記測定基準点記憶部に記憶された関係に基づいて算出された前記測定基準点位置座標と、を用いて前記被検面の偏心量を算出する偏心量算出部と、
を備えることを特徴とする偏心測定装置。
【請求項２】
測定基準点を設定する測定基準点設定部を備えることを特徴とする請求項１に記載の偏心測定装置。
【請求項３】
前記測定基準点設定部は、
前記測定光が照射される参照光学系と、
前記光検出器によって取得された、前記参照光学系からの反射光による前記スポット像の位置から前記測定基準点を算出する測定基準点算出部と、を備えることを特徴とする請求項２に記載の偏心測定装置。
【請求項４】
前記測定基準点記憶部は、予め記憶した前記関係に基づいてフィッティングした関数を記憶することを特徴とする請求項１に記載の偏心測定装置。
【請求項５】
測定光を被検光学系の被検面に照射し、測定光学系によって形成された、反射光によるスポット像を取得する被検光学系測定工程と、
（１）前記被検光学系測定工程において取得された、前記被検面からの反射光による前記スポット像の位置と、（２−１）前記被検光学系測定工程における、前記測定光学系の駆動量及び焦点距離、並びに測定光の集光位置の少なくとも１つ、及び、（２−２）前記測定光学系の駆動量および焦点距離、並びに測定光の集光位置の少なくとも１つに対する測定基準点位置座標の関係、に基づいて算出された前記被検光学系測定工程における前記測定基準点位置座標と、を用いて前記被検面の偏心量を算出する偏心量算出工程と、
を備えることを特徴とする偏心測定方法。
【請求項６】
前記被検光学系測定工程の前に、前記測定光学系の駆動量及び焦点距離、並びに前記測定光の集光位置の少なくとも１つに対する測定基準点位置座標の関係を予め記憶する測定準備工程を備えることを特徴とする請求項５に記載の偏心測定方法。
【請求項７】
前記測定準備工程は、参照光学系からの反射光による前記スポット像の位置から前記測定基準点を算出する算出工程を備えることを特徴とする請求項６に記載の偏心測定方法。
【請求項８】
前記測定準備工程は、前記測定準備工程において予め記憶した前記関係に基づいてフィッティングした関数を記憶する関数記憶工程を備えることを特徴とする請求項６に記載の偏心測定方法。
【発明の詳細な説明】
【技術分野】
【０００１】
本発明は、光学系の偏心を測定する偏心測定装置及び偏心測定方法に関する。
【背景技術】
【０００２】
一般的な光学系の偏心測定方法のひとつにオートコリメーション法がある。オートコリメーション法は、測定光を被検光学系に照射し、被検光学系の各被検面からの反射光によるスポット像（反射スポット像）の振れ量Δから偏心量を算出する方法である。この振れ量Δは、光検出器により取得された画像内におけるスポット像の位置座標（ｘ，ｙ）と測定の基準となる測定基準点の位置座標（ｘ0，ｙ0）を用いて次式（１）により求められる。
Δ＝（（ｘ−ｘ0）2＋（ｙ−ｙ0）2）1/2      （１）
【０００３】
特許文献１記載の偏心量測定機は、基準軸設定光学系に設けたイメージローテータを回転させたときの、基準軸設定光学系からの反射スポット像の軌跡の回転中心点を測定基準点とする被検光学系静止方式により、測定基準点の座標を測定している。
【０００４】
図８は従来の偏心測定装置５００の基本構成を示す図である。光源５１０より発生した測定光は、レンズ５１１、ハーフミラー５０１を介して、測定光学系が備えるレンズ５３１、５３２によって被検光学系５０の被検面に照射される。移動部５４０は、被検光学系５０の設計曲率半径Ｒ・設計面間隔Ｄ・硝材屈折率Ｎから計算される所定の駆動量でレンズ５３１、５３２を移動させ、これにより、測定光の被検面からの反射光は、レンズ５３１、５３２、ハーフミラー５０１を介し、レンズ５５１により光検出器５５０上で反射スポット像Ｓ５１を結ぶ（図９）。光検出器５５０で取得された画像５５０ａは、測定基準点記憶部５６０に保存され、表示部５６１で確認することができる。
ここで、図９は、光検出器５５０により取得される画像５５０ａ内における、被検面からの反射スポット像Ｓ５１の位置を概念的に示す図である。
【０００５】
次に、測定光学系の駆動量を変えずに、すなわち、レンズ５３１、５３２を移動させずに、ハーフミラー５０２で反射させた測定光を測定基準軸設定光学系５２０に照射する。移動部５４０の駆動量と対応するように測定基準軸設定光学系５２０を駆動することにより、測定基準軸設定光学系５２０からの反射光は光検出器５５０上でスポット像を結ぶ。このとき、測定基準軸設定光学系５２０内のイメージローテータ５２１を測定基準軸設定光学系５２０の光軸の周りに回転させると、その回転に応じて、光検出器５５０の画像５５０ａ上において、測定基準軸設定光学系５２０からの反射スポット像Ｓ５２は測定基準点Ｃ５２の周りを回転する（図１０）。したがって、光検出器５５０の画像５５０ａ上における測定基準点Ｃ５２の位置を取得することができる。測定基準点Ｃ５２の位置は測定基準点記憶部５６０に保存される。ここで、図１０は、光検出器５５０により取得される画像５５０ａ内において、測定基準軸設定光学系５２０からの反射スポット像Ｓ５２の回転の様子を概念的に示す図である。
【０００６】
以上のように得られ、測定基準点記憶部５６０に保存された、被検面からの反射スポット像Ｓ５１の位置と測定基準点Ｃ５２の位置から、図１１に示すように、被検面の振れ量Δを求める。被検光学系５０の偏心量は、被検光学系５０の各被検面について求めた振れ量Δから算出する。図１１は、被検面からの反射スポット像Ｓ５１の位置と測定基準点Ｃ５２の位置の振れ量Δを概念的に示す図である。
【先行技術文献】
【特許文献】
【０００７】
【特許文献１】特開２００５−３６６７号公報
【発明の概要】
【発明が解決しようとする課題】
【０００８】
しかしながら、上述の従来の偏心測定装置５００には次の課題がある。
この偏心測定装置５００においては、異なる被検面からの反射スポット像Ｓ５１の位置を測定するたびに移動部５４０の駆動量を変える必要がある。しかし、駆動量の変更にともなって測定光学系のレンズ５３１、５３２の位置が変化し、これにより測定基準点Ｃ５２の座標が変わり得る。このため、ある被検面からの反射スポット像の位置を測定する時における移動部５４０の駆動量と等しい駆動量で移動部５４０が測定光学系を駆動した状態で、その状態における測定基準点の位置座標を必ず測定することとしている。すなわち、各被検面を測定するたびに測定基準点を１回測定しているため、異なる被検面の反射スポット像の位置を測定する工程の間には、必ず、測定基準点を測定する工程が必要であった。そして、上述したとおり、測定基準点の測定には、測定基準軸設定光学系５２０の駆動が必要となるため、被検光学系の被検面の偏心測定に要する時間が長くならざるを得なかった。
【０００９】
本発明は、上記に鑑みてなされたものであって、その目的は、被検光学系の被検面の偏心測定の測定時間を短縮することにある。
【課題を解決するための手段】
【００１０】
上述した課題を解決し、目的を達成するために、本発明に係る偏心測定装置は、測定光を発生させる光源と、測定光を被検光学系の被検面に照射し、その反射光によるスポット像を形成する複数のレンズからなる測定光学系と、測定光学系の複数のレンズの少なくとも１つを光軸方向に移動させる移動部と、スポット像を取得する光検出器と、測定光学系の駆動量及び焦点距離、並びに測定光の集光位置の少なくとも１つに対する測定基準点位置座標の関係を予め記憶した測定基準点記憶部と、（１）光検出器によって取得された、被検面からの反射光によるスポット像の位置と、（２）測定光学系の駆動量及び焦点距離、並びに測定光の集光位置の少なくとも１つから、測定基準点記憶部に記憶された関係に基づいて算出された測定基準点位置座標と、を用いて被検面の偏心量を算出する偏心量算出部と、を備えることを特徴としている。
【００１１】
本発明に係る偏心測定装置は、測定基準点を設定する測定基準点設定部を備えることが好ましい。
【００１２】
本発明に係る偏心測定装置において、測定基準設定部は、測定光が照射される参照光学系と、光検出器によって取得された、参照光学系からの反射光によるスポット像の位置から測定基準点を算出する測定基準点算出部と、を備えることが好ましい。
【００１３】
本発明に係る偏心測定装置において、測定基準点記憶部は、予め記憶した関係に基づいてフィッティングした関数を記憶することが好ましい。
【００１４】
本発明に係る偏心測定方法は、測定光を被検光学系の被検面に照射し、測定光学系によって形成された、反射光によるスポット像を取得する被検光学系測定工程と、（１）被検光学系測定工程において取得された、被検面からの反射光によるスポット像の位置と、（２−１）被検光学系測定工程における、測定光学系の駆動量及び焦点距離、並びに測定光の集光位置の少なくとも１つ、及び、（２−２）測定光学系の駆動量および焦点距離、並びに測定光の集光位置の少なくとも１つに対する測定基準点位置座標の関係、に基づいて算出された被検光学系測定工程における測定基準点位置座標と、を用いて被検面の偏心量を算出する偏心量算出工程と、を備えることを特徴としている。
【００１５】
本発明に係る偏心測定方法は、被検光学系測定工程の前に、測定光学系の駆動量及び焦点距離、並びに測定光の集光位置の少なくとも１つに対する測定基準点位置座標の関係を予め記憶する測定準備工程を備えることが好ましい。
【００１６】
本発明に係る偏心測定方法において、測定準備工程は、参照光学系からの反射光によるスポット像の位置から測定基準点を算出する算出工程を備えることが好ましい。
【００１７】
本発明に係る偏心測定方法において、測定準備工程は、測定準備工程において予め記憶した関係に基づいてフィッティングした関数を記憶する関数記憶工程を備えることが好ましい。
【発明の効果】
【００１８】
本発明に係る偏心測定装置及び偏心測定方法は、被検光学系の被検面の測定時間を短縮することができる、という効果を奏する。
【図面の簡単な説明】
【００１９】
【図１】本実施形態に係る偏心測定装置の基本構成を示す図である。
【図２】本実施形態における測定準備工程の流れを示すフローチャートである。
【図３】本実施形態における被検光学系測定工程の流れを示すフローチャートである。
【図４】本実施形態における偏心量算出工程の流れを示すフローチャートである。
【図５】本実施形態における測定光学系の駆動量と測定基準点位置の関係を示すグラフである。
【図６】本実施形態における反射スポット像の位置と測定基準点の位置の振れ量を概念的に示す図である。
【図７】本実施形態の第２変形例における反射スポット像の位置と測定基準点の位置の移動を概念的に示す図である。
【図８】従来の偏心測定装置の基本構成を示す図である。
【図９】光検出器により取得される画像内における、被検面からの反射スポット像の位置を概念的に示す図である。
【図１０】光検出器により取得される画像内において、測定基準軸設定光学系からの反射スポット像の回転の様子を概念的に示す図である。
【図１１】被検面からの反射スポット像の位置と測定基準点の位置の振れ量を概念的に示す図である。
【発明を実施するための形態】
【００２０】
以下に、本発明のある態様に係る偏心測定装置及び偏心測定方法の実施形態を図面に基づいて詳細に説明する。なお、以下の実施形態によりこの発明が限定されるものではない。
【００２１】
本発明のある態様に係る偏心測定装置によれば、測定光を発生させる光源と、測定光を被検光学系の被検面に照射し、その反射光によるスポット像を形成する複数のレンズからなる測定光学系と、測定光学系の複数のレンズの少なくとも１つを光軸方向に移動させる移動部と、スポット像を取得する光検出器と、測定光学系の駆動量及び焦点距離、並びに測定光の集光位置の少なくとも１つに対する測定基準点位置座標の関係を予め記憶した測定基準点記憶部と、（１）光検出器によって取得された、被検面からの反射光によるスポット像の位置と、（２）測定光学系の駆動量及び焦点距離、並びに測定光の集光位置の少なくとも１つから、測定基準点記憶部に記憶された関係に基づいて算出された測定基準点位置座標と、を用いて被検面の偏心量を算出する偏心量算出部と、を備える。
この構成により、各被検面の測定のたびに測定基準点を測定することがないため、被検光学系の偏心測定時間を短縮することができる。
【００２２】
本発明のある態様に係る偏心測定方法によれば、測定光を被検光学系の被検面に照射し、測定光学系によって形成された、反射光によるスポット像を取得する被検光学系測定工程と、（１）被検光学系測定工程において取得された、被検面からの反射光によるスポット像の位置と、（２−１）被検光学系測定工程における、測定光学系の駆動量及び焦点距離、並びに測定光の集光位置の少なくとも１つ、及び、（２−２）測定光学系の駆動量および焦点距離、並びに測定光の集光位置の少なくとも１つに対する測定基準点位置座標の関係、に基づいて算出された被検光学系測定工程における測定基準点位置座標と、を用いて被検面の偏心量を算出する偏心量算出工程と、を備える。
これにより、被検光学系の各被検面の測定のたびに測定基準点を測定することが不要となり、これによって、被検光学系の測定時間を短縮することができる。
また、測定基準点の測定時の測定光学系の駆動量と被検面の反射スポット像位置の測定時の測定光学系の駆動量が異なる場合でも、フィッティングした関数から測定基準点の座標を求めることによって、偏心量を計算できる。さらに、被検面の反射スポット像位置の測定前に測定基準点の位置を知ることができるため、被検面の反射スポット像位置と測定基準点の位置から、測定中に被検面の偏心の程度を把握することができる。
【００２３】
図１は本発明のある実施形態に係る偏心測定装置の基本構成を示す図である。
本実施形態の偏心測定装置１００は、被検光学系５０の偏心を測定する装置であって、測定光を発生する光源１１０と、測定光学系１３０と、移動部１４０と、参照光学系１２０と、測定基準点記憶部、偏心量算出部、及び測定基準点算出部としての演算記憶部１６０と、を備える。
なお、測定基準点記憶部が、測定光学系１３０の駆動量及び焦点距離、並びに、測定光の集光位置の少なくとも１つに対する測定基準点位置座標の関係を予め記憶していれば、偏心測定装置１００は、参照光学系１２０を備えない構成も可能である。また、この構成の場合、演算記憶部１６０は、測定基準点算出部の機能を備えていなくてもよい。
また、本実施形態では、測定基準点記憶部、偏心量算出部、及び測定基準点算出部を一体として演算記憶部１６０で構成しているが、それぞれを別の機器で構成することもできる。また、測定基準点記憶部、偏心量算出部、及び測定基準点算出部の何れか２つを、一体として、残りの１つを別体としてもよい。また、演算記憶部１６０は、他の機能を備えていても良い。
【００２４】
光源１１０で発生した測定光はコリメートレンズ１１１を経てハーフミラー１０１で反射されて測定光学系１３０に入射する。
測定光学系１３０は、光軸ＡＸ１の方向に移動可能な複数のレンズ１３１、１３２を備え、入射した測定光を被検光学系５０の被検面、及び参照光学系１２０の少なくとも一方に照射する。移動部１４０がレンズ１３１、１３２を駆動することによって測定光の集光位置、又は、測定光学系１３０の焦点距離を調整することができる。また、測定光学系１３０は、被検光学系５０を構成するレンズの各被検面、及び参照光学系１２０の少なくとも一方からの反射光によるスポット像を形成する。光源１１０から測定光学系１３０へ入射した測定光のうち、ハーフミラー１０２を通過した光は被検光学系５０に入射し、ハーフミラー１０２で反射された光は参照光学系１２０へ入射する。なお、測定光学系１３０が備えるレンズの構成は図１に例示する構成に限られず、任意に定めることができる。すなわち、測定光学系１３０は、３枚以上のレンズによって構成されていてもよい。また、測定光学系１３０の焦点距離とは、測定光学系１３０を構成するレンズの合成の焦点距離を意味する。
【００２５】
移動部１４０は、測定光学系１３０が備えるレンズ１３１、１３２の少なくとも一方を、その光軸ＡＸ１の方向に沿って、被検光学系５０の設計曲率半径Ｒ・設計面間隔Ｄ・硝材屈折率Ｎから計算される駆動量に駆動する。これにより、移動部１４０は、光軸ＡＸ１上における、測定光学系１３０全体の位置、及び、レンズ１３１、１３２それぞれの位置を変更する。ここで、図１においては、測定光学系１３０全体の移動量はＤ１であり、レンズ１３１とレンズ１３２の間隔をＤ２で示している。
【００２６】
参照光学系１２０は、イメージローテータ１２１、レンズ１２２、及びミラー１２３を備える。イメージローテータ１２１は、参照光学系１２０の光軸の周りを回転可能である。参照光学系１２０に入射した光は、イメージローテータ１２１およびレンズ１２２を透過した後、ミラー１２３に到達する。ミラー１２３に到達した測定光は、反射され、再び、レンズ１２２およびイメージローテータ１２１を透過した後に、参照光学系１２０の外部に出射される。参照光学系１２０は、スポット像を形成し、このスポット像に基づいて、演算記憶部１６０が測定基準点を設定する。より具体的には、イメージローテータ１２１が、参照光学系１２０の光軸の周りを回転すると、その回転に応じて、光検出器１５０の画像上において、参照光学系１２０からの反射スポットが、測定基準点の周りを回転する。すなわち、演算記憶部１６０は、参照光学系１２０からの反射スポット像の軌跡の回転中心点を測定基準点と設定することができる。このように、参照光学系１２０と、演算記憶部１６０の一部の機能である測定基準点算出部により、測定基準点設定部が構成される。
なお、測定基準点設定部は、測定基準点を設定できればよく、参照光学系１２０と測定基準点算出部による構成以外の構成であってもよい。
【００２７】
参照光学系１２０のミラー１２３で反射された光、及び、被検光学系５０の被検面で反射された光は、ハーフミラー１０２、測定光学系１３０、及びハーフミラー１０１を経て、集光レンズ１５１によって光検出器１５０上でスポット像（反射スポット像）を結ぶ。光検出器１５０は、このスポット像、及び、その位置を取得する。光検出器１５０は、例えばＣＣＤ（電荷結合素子）を用いることができるが、ＣＭＯＳ（相補型金属酸化膜半導体）センサや位置情報を求められる他のタイプの光センサでもよい。
【００２８】
演算記憶部１６０は、例えばパーソナルコンピュータと入出力装置で構成することができ、モニタ１６１と組み合わせて使用することが好ましい。
演算記憶部１６０は、測定基準点記憶部として、偏心測定の前に、測定光学系１３０の駆動量及び焦点距離、並びに、測定光の集光位置の少なくとも１つに対する測定基準点位置座標の関係を予め記憶している。このように予め記憶した関係に基づいて、演算記憶部１６０は、フィッティングした関数を記憶する。
【００２９】
また、演算記憶部１６０は、偏心量算出部として、（１）光検出器１５０によって取得された、被検光学系５０の被検面からの反射光によるスポット像の位置と、（２）測定基準点の座標と、を用いて被検面の偏心量を算出する。ここで、測定基準点の座標は、測定光学系１３０の駆動量及び焦点距離、並びに測定光の集光位置の少なくとも１つから、演算記憶部１６０に予め記憶された関係に基づいて算出される座標である。
【００３０】
さらに、演算記憶部１６０は、測定基準点算出部として、参照光学系１２０に測定光を照射したときに、光検出器１５０が取得した、参照光学系１２０からの反射スポット像の位置から測定基準点を算出・設定する。
【００３１】
演算記憶部１６０は、測定光学系１３０の駆動の制御、参照光学系１２０の駆動の制御、イメージローテータ１２１の回転の制御、光検出器１５０による撮像の制御等の機能を有する。また、光検出器１５０で撮像された反射スポット像をパーソナルコンピュータに接続されたモニタ１６１によって確認できるようになっている。なお、演算記憶部１６０以外の部材が、測定光学系１３０の駆動の制御、参照光学系１２０の駆動の制御、イメージローテータ１２１の回転の制御、光検出器１５０による撮像の制御等の機能を有していてもよい。
【００３２】
次に、偏心測定装置１００を用いた偏心測定方法について説明する。
図２は、本実施形態における測定準備工程の流れを示すフローチャートである。図３は、本実施形態における被検光学系測定工程の流れを示すフローチャートである。図４は、本実施形態における偏心量算出工程の流れを示すフローチャートである。図５は、測定光学系１３０の駆動量ｐと測定基準点位置の関係を示すグラフである。図６は、光検出器１５０の検出面１５０ａにおける反射スポット像Ｓ１１の位置と測定基準点Ｃ１１の位置の振れ量を概念的に示す図である。
【００３３】
偏心測定工程は、図３に示す被検光学系測定工程と、図４に示す偏心量算出工程と、からなり、この順序で実行される。また、偏心測定工程に先立って、図２に示す測定準備工程を実行する。偏心測定方法は、被検光学系５０が備える光学素子の複数の被検面について、反射スポット像の位置を測定し、これを用いて偏心量を算出する。
以下、各工程について詳細に説明する。
【００３４】
１．測定準備工程（図２）
測定準備工程は、被検光学系５０の測定の前に、測定光学系１３０の駆動量及び焦点距離、並びに測定光の集光位置の少なくとも１つに対する測定基準点位置座標の関係を予め記憶する工程である。以下の説明では、測定光学系１３０の駆動量ｐに対する測定基準点位置座標の関係を予め記憶する例について説明するが、駆動量ｐに代えて、又は、駆動量ｐに加えて、測定光学系１３０の焦点距離又は測定光の集光位置に対する測定基準点位置座標の関係を予め記憶することもできる。
【００３５】
まず、光源１１０で発生した測定光をハーフミラー１０２で反射させて参照光学系１２０に照射する（ステップＳ１０１）。測定光の照射は、測定光学系１３０の駆動量ｐを所定範囲で変化させて行う。この所定範囲は、少なくとも、被検光学系５０の被検面に測定光を照射する場合に対応した駆動範囲を含む。
【００３６】
次に、測定光学系１３０の駆動量ｐの範囲の全域又は一部の範囲で、参照光学系１２０により、測定基準点の位置座標（ｘ0，ｙ0）を求める（ステップＳ１０２）。
より具体的には、参照光学系１２０に入射した測定光が、イメージローテータ１２１及びレンズ１２２を経て、ミラー１２３で反射した光は、光検出器１５０上において反射スポット像として取得される。演算記憶部１６０は、光検出器１５０の検出面上の反射スポット像の位置に基づいて、測定基準点の位置座標を算出し（算出工程）、この位置座標を記憶する。
【００３７】
このような反射スポット像の取得及び測定基準点の位置座標の算出・記憶は、少なくとも、測定光学系１３０の駆動量ｐを変化させて複数回実行する。これにより、図５において丸印及び四角印で示す、駆動量ｐと測定基準点位置座標の関係を得ることができる。これは、測定光学系１３０の駆動量ｐに対する測定基準点位置座標の関係に対応する。ここで、図５の丸印（黒い丸）は測定基準点の位置座標ｘ0のデータを、四角印（黒い四角）は測定基準点の位置座標ｙ0のデータを、それぞれ示している。
測定基準点の位置座標の算出・記憶は、被検面に測定光を照射する場合に対応した駆動範囲を等分割した駆動量で行なってもよいし、測定基準点の位置座標が駆動量に対して急峻に変化する範囲では不等分割で細かく行なってもよい。また、測定光学系１３０の駆動方法が切り替わる場合、切り替わる駆動量のみで行なってもよい。
【００３８】
つづいて、演算記憶部１６０は、測定光学系１３０の駆動量ｐに対する測定基準点の位置座標ｘ0、ｙ0のそれぞれについて、予め算出・記憶したデータに基づいて、フィッティングにより関数ｘ0＝ｆ（ｐ）、ｙ0＝ｇ（ｐ）を求める（ステップＳ１０３）。図５において、ｆ（ｐ）はｘ0データを結ぶ実線で、ｇ（ｐ）はｙ0データを結ぶ破線で、それぞれ示される。このように、フィッティングすることで、測定光学系１３０の駆動量ｐと、測定基準点と、の対応関係を求めることができる。演算記憶部１６０は、フィッティングにより求めた関数ｆ（ｐ）とｇ（ｐ）を記憶し（関数記憶工程）、被検光学系測定工程に進む（ステップＳ１０４）。
なお、測定基準点を示す座標系は、直交座標系に限られない。また、フィッティングにより関数ｘ0＝ｆ（ｐ）、ｙ0＝ｇ（ｐ）を求めることに代えて、多項式近似、線形補間、多項式補間、スプライン補間、前後の数値の平均値の使用などの手法により、測定基準点の位置座標と、測定光学系１３０の駆動量ｐと、の関係を求めてもよい。演算記憶部１６０は、このように求められた測定光学系１３０の駆動量ｐと、の関係を記憶してもよい。
また、測定準備工程と、次の被検光学系測定工程は、連続して行っても良いし、測定準備工程から長時間経過後に、被検光学系測定工程を行っても良い。
【００３９】
２．被検光学系測定工程（図３）
被検光学系測定工程は、光検出器１５０によって、被検光学系５０の被検面からの反射光によるスポット像の位置を取得する工程である。スポット像の位置の取得は被検面ごとに実行する。
まず、被検光学系５０は、偏心測定装置１００の所定位置にマウントされる（ステップＳ２０１）。
【００４０】
次に、演算記憶部１６０は、被検光学系５０の設計曲率半径Ｒ・設計面間隔Ｄ・硝材屈折率Ｎから、各被検面測定時に必要な測定光学系１３０の駆動量ｐ１をそれぞれ計算し、記憶する（ステップＳ２０２）。
【００４１】
つづいて、移動部１４０は、測定する被検面に対応する駆動量ｐ１まで測定光学系１３０を駆動する（ステップＳ２０３）。この際、移動部１４０は、測定光学系１３０を駆動量ｐ１だけ駆動した後に、更に、測定光学系１３０の位置を微調整してもよい。この状態で、被検光学系５０の被検面に測定光を照射し、光検出器１５０は、被検光学系５０の被検面からの反射光によるスポット像を取得し、演算記憶部１６０は、光検出器１５０の検出面上の反射スポット像の位置に基づいて、その位置座標（ｘ，ｙ）を測定し、記憶する（ステップＳ２０４）。
なお、測定光学系の駆動量ｐ１が、予め、既知である場合には、必ずしも計算により求める必要はない。この場合、ステップＳ２０２は、省略してもよい。そして、ステップＳ２０３において、移動部１４０は、既知の駆動量ｐ１まで測定光学系１３０を駆動してもよい。
【００４２】
演算記憶部１６０が、被検光学系５０において測定していない被検面があると判断し、次の測定面を測定する場合（ステップＳ２０５でＹ）、上述のステップＳ２０３以降を実行する。
なお、Ｓ２０５において、次の被検面を測定するか否かの判断は、測定者が行っても良い。
これに対して、被検光学系５０においてすべての被検面の測定が終了していると演算記憶部１６０が判断した場合（ステップＳ２０５でＮ）、偏心量算出工程に進む（ステップＳ２０６）。
【００４３】
３．偏心量算出工程（図４）
偏心量算出工程は、（１）被検面からの反射光によるスポット像の位置と（２）測定光学系１３０の駆動量ｐ１に対応する測定基準点位置座標と、を用いて被検面の偏心量を算出する工程である。
（１）について、スポット像の位置は、被検光学系測定工程において光検出器１５０によって取得される。また、（２）について、測定基準点位置座標は、被検光学系測定工程において記憶された、測定光学系１３０の駆動量ｐ１から、測定準備工程において測定基準点記憶部としての演算記憶部１６０に記憶された関係に基づいて算出される。偏心量の算出は被検面ごとに実行される。
【００４４】
まず、演算記憶部１６０は、被検光学系測定工程で記憶した各被検面測定時の駆動量ｐ１を、演算記憶部１６０に予め記憶された関数ｆ（ｐ）、ｇ（ｐ）（図５）に適用することにより、各被検面測定時の測定基準点の位置座標（ｘ0，ｙ0）を算出し、記憶する（ステップＳ３０１）。この位置座標は、図５において、横軸の駆動量がｐ１であるときの関数ｆ（ｐ）、ｇ（ｐ）上の点でそれぞれ示される座標である。
【００４５】
次に、演算記憶部１６０は、各被検面について、被検光学系測定工程において取得された反射スポット像の位置と、ステップＳ３０１で算出した測定基準点の位置と、から振れ量Δを求め、偏心量を算出する（ステップＳ３０２）。より具体的には、振れ量Δは、図６に示す例では、反射スポット像Ｓ１１の位置座標（ｘ，ｙ）と測定基準点Ｃ１１の位置座標（ｘ0，ｙ0）のｘ座標及びｙ座標について減算を行うことにより算出される。そして、演算記憶部１６０は、算出された振れ量Δと、振れ量Δと偏心量との間の所定の関係式と、に基づいて偏心量を算出・記憶する。
以上のステップＳ３０１、Ｓ３０２を、測定光学系１３０の各被検面ごとに行うことによって各被検面の偏心量を算出することができる。
【００４６】
偏心量の測定後、ほかの被検光学系を測定する場合（ステップＳ３０３でＹ）、被検光学系測定工程にもどる。ほかの被検光学系を測定しない場合（ステップＳ３０３でＮ）、測定を完了する。
本実施形態によれば、予め、測定準備工程において、演算記憶部１６０が、測定光学系１３０の駆動量及び焦点距離、並びに測定光の集光位置の少なくとも１つに対する測定基準点位置座標の対応関係を予め記憶する。そして、実際の偏心測定工程においては、予め記憶された対応関係に基づいて、測定光学系１３０の駆動量及び焦点距離、並びに測定光の集光位置の少なくとも１つに対する測定基準点位置座標を算出することができる。従って、実際の偏心測定工程において、測定光学系１３０の駆動量ｐ１及び焦点距離、並びに測定光の集光位置の少なくとも１つに対応する測定基準点位置座標を求めるために、参照光学系１２０を調整する工程を省略することができる。より具体的には、本実施形態の偏心測定工程において、１つの被検面の偏心量を算出する工程と、他の被検面の偏心量を算出する工程と、の間で、イメージローテータ１２１を回転させて測定基準点位置座標を求める工程を省略することができる。このため、偏心測定工程における、測定時間を短縮することができる。
また、測定準備工程においては、フィッティング等によって、測定光学系１３０の駆動量及び焦点距離、並びに測定光の集光位置の少なくとも１つと、測定基準点位置座標と、の対応関係を算出することができる。従って、測定準備工程において、測定光学系１３０の駆動量及び焦点距離、並びに測定光の集光位置の少なくとも１つを離散的に測定したとしても、測定光学系１３０の駆動量及び焦点距離、並びに測定光の集光位置の少なくとも１つと、測定基準点位置座標と、の対応関係を連続的に、算出することができる。この結果、測定準備工程に要する時間も短縮することができる。
本実施形態は、被検面の数が多い被検光学系について偏心量を測定する場合や、測定すべき被検光学系の数が多い場合に、特に、有効である。
【００４７】
（第１変形例）
上述の実施形態では、測定基準点の位置は、図４に示す偏心量算出工程のステップＳ３０１で算出されており、反射スポット像の測定と測定基準点の位置の算出は別個の工程で実行している。このため、モニタ１６１において、反射スポット像の位置と測定基準点の位置は同時には表示されていない。
【００４８】
これに対して、本変形例では、測定基準点の位置の算出を、図３の被検光学系測定工程のステップＳ２０３とステップＳ２０４の間で行う。これにより、ステップＳ２０４において被検面からの反射スポット像の位置の測定中に、測定基準点の位置をモニタ１６１に表示させることが可能となるため、作業者が振れ量Δを確認しやすくなる。
【００４９】
（第２変形例）
図７は、上述の実施形態の第２変形例における反射スポット像の位置と測定基準点の位置の移動を概念的に示す図である。
第２変形例においては、モニタ１６１の画面１６１ａ内において、光検出器１５０の検出面１５０ａ上の反射スポット像Ｓ１１と測定基準点Ｃ１１の位置座標を維持したまま、検出面１５０ａの表示位置を移動させることができる。移動のための計算は演算記憶部１６０が行い、図７に示す例のように、検出面１５０ａを新たな表示位置１５０ｂへ移動し、反射スポット像Ｓ１１及び測定基準点Ｃ１１を新たな表示位置Ｓ２１、Ｃ２１へそれぞれ移動する。これにより、作業者が、モニタ１６１の画面１６１ａ上において、反射スポット像及び測定基準点を所望の位置に配置することが可能となる。
【産業上の利用可能性】
【００５０】
以上のように、本発明に係る偏心測定装置は、偏心測定の測定時間の短縮に有用である。
【符号の説明】
【００５１】
５０      被検光学系
１００    偏心測定装置
１１０    光源
１２０    参照光学系
１３０    測定光学系
１３１、１３２  レンズ
１４０    移動部
１５０ａ  検出面
１５０    光検出器
１６０    演算記憶部
１６１    モニタ
ＡＸ１    光軸
Ｃ１１    測定基準点
Ｓ１１    反射スポット像
【図１】
2013036898.tif 000003
【図２】
2013036898.tif 000004
【図３】
2013036898.tif 000005
【図４】
2013036898.tif 000006
【図５】
2013036898.tif 000007
【図６】
2013036898.tif 000008
【図７】
2013036898.tif 000009
【図８】
2013036898.tif 000010
【図９】
2013036898.tif 000011
【図１０】
2013036898.tif 000012
【図１１】
2013036898.tif 000013